(57)【特許請求の範囲】
【請求項１】
配線用遮断器内部に配置した警報スイッチを入切する警報カムを、遮断機構部をオン、オフ、トリップの状態とするリンク機構のラッチと接続ばねを介して作動するようにした配線用遮断器であって、前記接続ばねは一端を前記ラッチに係止して他端を前記警報カムの警報カム本体に係止したことを特徴とする配線用遮断器。
【請求項２】
警報カムに接続ばねの保持部を設けた請求項１に記載の配線用遮断器。
【発明の詳細な説明】
【技術分野】
【０００１】
本発明は、異常電流により配電用遮断器がトリップした場合にそのトリップ状態を警報ブザー、警報ランプにより知らせるための警報スイッチを配線用遮断器内部に配置した配線用遮断器に関するものである。
【背景技術】
【０００２】
配電用遮断器がトリップした場合にそのトリップ状態を警報ブザー、警報ランプ等により知らせるための警報スイッチの入切は、トリップ動作をするリンク機構と連繋した摺動部品により行うものである。そして、従来の摺動部品はその一端をリンク機構に直接組付けるものであった（例えば、特許文献１参照）。
【０００３】
ところが、前記の特許文献１に記載のものは、摺動部品がその一端をリンク機構に直接組付けるものであるため、リンク機構の動きによる衝撃が摺動部品を介して警報スイッチにそのまま伝わり、強い衝撃を受けた場合には警報スイッチが損傷するという問題がある。
【０００４】
【特許文献１】特開平６−２３６７２０号公報（４ページ右欄（６段）第１０行〜第２５行、図６（符号４９）参照）
【発明の開示】
【発明が解決しようとする課題】
【０００５】
本発明は前記のような問題点を解決して、リンク機構の動きによる衝撃が警報スイッチにそのまま伝わることなく、警報スイッチを入切できる配線用遮断器を提供することを目的として完成されたものである。
【課題を解決するための手段】
【０００６】
本発明の配線用遮断器は、配線用遮断器内部に配置した警報スイッチを入切する警報カムを、遮断機構部をオン、オフ、トリップの状態とするリンク機構のラッチと接続ばねを介して作動するようにした配線用遮断器であって、前記接続ばねは一端を前記ラッチに係止して他端を前記警報カムの警報カム本体に係止したことを特徴とするものである。そして、この発明において、警報カムに接続ばねの保持部を設けることが好ましい。
【発明の効果】
【０００７】
前記のような本発明は、警報スイッチを入切する警報カムがリンク機構のラッチと接続ばねを介して作動するようにしたものであるから、オン、オフ、トリップの状態となる時のリンク機構の衝撃が接続ばねにより緩和された警報カムにより警報スイッチが入切されるので、警報スイッチが損傷することがないものである。また、リンク機構の動きが小さいものにあっても、接続ばねが動きを増幅させて警報カムを作動させるので警報スイッチの入切を安定して行うことができるものである。また、警報カムに接続ばねの保持部を設けることにより、接続ばねの組込みが容易なものとなる。
【発明を実施するための最良の形態】
【０００８】
次に、本発明の好ましい実施の形態を図面に基づき説明する。
１は配線用遮断器内部に配置した警報スイッチ２を入切する警報カムであり、該警報カム１は図５、図７及び図９に示すようにクロスバー３１、可動接触子３２、固定接点３３よりなる遮断機構部３をオン、オフ、トリップの状態とするリンク機構４のラッチ４１と接続ばね１ａを介して作動するようにされている。
【０００９】
すなわち、警報カム１は前記リンク機構４を収納してケースの中央に設置するフレーム５の両側より両端を張出させた長さの警報カム本体１０の上端に、該フレーム５の後端下方に軸杆５ａにより軸支される軸受部１１、１１を設けるとともに警報カム本体１０の両側前方に警報スイッチ２の押しボタン２１に臨む押圧部１２、１２を設け、接続ばね１ａの一端をラッチ４１の後端上部すなわちラッチ４１の軸杆４１ａに係止して他端を警報カム本体１０の背面に係止して、押圧部１２、１２が常時警報スイッチ２の押しボタン２１を押圧するように付勢されている。
【００１０】
また、前記接続ばね１ａは警報カム１に設けた保持部１３に保持させている。この保持部１３は、警報カム本体１０の中央上部に立設した規制片部１３ａ、１３ａに軸杆挿通孔１３ｂ、１３ｂを設けて、該軸杆挿通孔１３ｂ、１３ｂ間に位置する軸杆５ａにつる巻きばね状の接続ばね１ａのコイル部を嵌合して保持するものとして形成したものである。
【００１１】
前記フレーム５に収納したリンク機構４は、一端部にクロスバー押圧部４２ａを形成し他端部をラッチ４１と枢着するリンク４２と、板状本体部４１０の一端の両側下方に延設した側板部４１１、４１１をフレーム５の側板部５１、５１に軸支して、板状本体部４１０の他端にはトリガー６との係合部４１２を設け、さらに、板状本体部４１０の中央両側部から上方に向けリンク枢軸片４１３、４１３を設けたラッチ４１とよりなり、このラッチ４１の両リンク枢軸片４１３、４１３間に軸杆４１ａを梁渡したうえ前記リンク４２の他端部を枢着している。
【００１２】
また、リンク機構４のリンク４２は一端部に形成したクロスバー押圧部４２ａの上部を前記フレーム５に軸支したハンドル７の軸部７１から斜め下方に延びる延設部７２に一端を軸支したリンクピン８の他端と枢着されている。
【００１３】
このように構成されたものは、トリガー６が動作しない正常状態にあっては、ハンドル７の操作によりリンク機構４を介して、図５、図７に示すように遮断機構部３をオン、オフの状態としてトリガー６にリンク機構４のラッチ４１の係合部４１２が係合している。この状態では、配線用遮断器内部に配置した警報スイッチ２を入切する警報カム１は接続ばね１ａを介してラッチ４１により警報スイッチ２の押しボタン２１に押圧方向に付勢されており、警報カム１の押圧部１２、１２が常時警報スイッチ２の押しボタン２１を押圧して、警報スイッチ２により正常状態であることを配線用遮断器の外部の警報ブザー、警報ランプにより表示させるものである。
【００１４】
また、異常電流が発生してバイメタル等の電流引き外し装置によりトリガー６が動作して、図９に示すようにリンク機構４のラッチ４１の係合部４１２がトリガー６との係合が解かれトリップ状態となる。そして、ラッチ４１はリンク枢軸片４１３、４１３を支点に係合部４１２が下動するとともにリンクラッチ４１の後端上部が斜め下方に移動して、ラッチ４１の後端上部が接続ばね１ａの一端との係合を解除する。これにより、警報カム１の押圧部１２、１２が警報スイッチ２の押しボタン２１への押圧を解除して配線用遮断器がトリップしたことを外部の警報ブザー、警報ランプにより表示させるものである。
【００１５】
前記したとおり、警報スイッチ２を入切する警報カム１がリンク機構部４のラッチ４１と接続ばね１ａを介して作動するようにしたものであるから、オン、オフ、トリップの状態となる時に生じるリンク機構部４の衝撃が接続ばね１ａにより緩和されて警報スイッチ２が警報カム１により入切されるので、警報スイッチ２が損傷することがないものである。また、リンク機構部４の動きが小さいものにあっても、接続ばね１ａが動きを増幅させて警報カム１を作動させるので警報スイッチ２の入切を安定して行うことができるものである。
【００１６】
また、警報カム１は前記したとおりラッチ４１と接続ばね１ａを介して作動するようにしたものであるから、該警報カム１自体は独立してフレーム５に軸支されているので、警報カム１をフレーム５の両側より両端を張出させた長さの警報カム本体１０の上端に該フレーム５の後端下方に軸杆５ａにより軸支される軸受部１１、１１を設けるとともに警報カム本体１０の両側前方に警報スイッチ２の押しボタン２１に臨む押圧部１２、１２を設けるという構造を採用でき、２個の警報スイッチ２、２に対応することができ、それぞれの警報スイッチ２を警報ブザー用と警報ランプ用として、万一に一方の警報スイッチ２が故障しても他の警報スイッチ２により警報が行われ、配電用遮断器がトリップされたことを知らせることができるものである。
【図面の簡単な説明】
【００１７】
【図１】本発明の実施形態の要部を示す斜視図。
【図２】本発明の実施形態の要部を警報スイッチを略して示す斜視図。
【図３】本発明の実施形態の要部を警報スイッチを略して示す一部切欠斜視図。
【図４】本発明の実施形態の要部を分解して示す斜視図。
【図５】本発明の実施形態の要部を警報スイッチを略してオン状態で示す側面図。
【図６】本発明の実施形態の要部をオン状態で示す側面図。
【図７】本発明の実施形態の要部を警報スイッチを略してオフ状態で示す側面図。
【図８】本発明の実施形態の要部をオフ状態で示す側面図。
【図９】本発明の実施形態の要部を警報スイッチを略してトリップ状態で示す側面図。
【図１０】本発明の実施形態の要部をトリップ状態で示す側面図。
【図１１】本発明の実施形態の配線用遮断器の全体を示す斜視図。
【符号の説明】
【００１８】
１  警報カム
1a  接続ばね
13  保持部
３  遮断機構部
４  リンク機構
41  ラッチ
【図１】
0004804192.tif 000002
【図２】
0004804192.tif 000003
【図３】
0004804192.tif 000004
【図４】
0004804192.tif 000005
【図５】
0004804192.tif 000006
【図６】
0004804192.tif 000007
【図７】
0004804192.tif 000008
【図８】
0004804192.tif 000009
【図９】
0004804192.tif 000010
【図１０】
0004804192.tif 000011
【図１１】
0004804192.tif 000012